(57)【要約】      （修正有）【課題】構造が強化され、綺麗な色彩及び光線反射特性を有し、且つ製造作業が簡単で、大量生産に好適な複合材料用布を提供することを課題とする。【解決手段】課題を解決するために、本考案では複合材料用布の構造として、経方向糸組織２０と、緯方向糸組織１０とを交錯に織って構成され、前記経方向糸組織と緯方向糸組織は、それぞれ芳香族ポリアミド繊維またはガラス繊維であり、且つ前記経方向糸組織と緯方向糸組織との内部には若干の金色繊維を設けている。【選択図】図１
0003109635.tif 000002
【実用新案登録請求の範囲】
【請求項１】
経方向糸組織と、緯方向の糸組織とを交錯に織って構成され、前記経方向糸組織は芳香族ポリアミド繊維またはガラス繊維であり、前記緯方向糸組織は芳香族ポリアミド繊維またはガラス繊維であり、前記経方向糸組織と前記緯方向糸組織は金色の繊維を含むことを特徴とする、
複合材料用布の構造。
【請求項２】
前記経方向糸組織または前記緯方向糸組織内に炭素繊維が織り込まれたことを特徴とする、請求項１に記載の複合材料用布の構造。
【請求項３】
前記経方向糸組織が芳香族ポリアミド繊維またはガラス繊維であることに代えて、芳香族ポリアミド繊維または炭素繊維であり、前記緯方向糸組織が芳香族ポリアミド繊維またはガラス繊維であることに代えて、芳香族ポリアミド繊維または炭素繊維であることを特徴とする、請求項１に記載の複合材料用布の構造。
【請求項４】
前記経方向糸組織が芳香族ポリアミド繊維またはガラス繊維であることに代えて、ガラス繊維または炭素繊維であり、前記緯方向糸組織が芳香族ポリアミド繊維またはガラス繊維であることに代えて、ガラス繊維または炭素繊維であることを特徴とする、請求項１に記載の複合材料用布の構造。
【請求項５】
前記経方向糸組織または前記緯方向糸組織は、ガラス繊維であることを特徴とする、請求項１に記載の複合材料用布の構造。
【請求項６】
前記経方向糸組織または前記緯方向糸組織は、芳香族ポリアミド繊維であることを特徴とする、請求項１に記載の複合材料用布の構造。
【請求項７】
前記経方向糸組織または前記緯方向糸組織内には、若干の色付けられた樹脂糸又は光線反射特性を有し色付けられた糸を織り込んだことを特徴とする、請求項１に記載の複合材料用布の構造。
【考案の詳細な説明】
【技術分野】
【０００１】
本考案は複合材料用布の構造に係り、特に形成された布が綺麗な色彩及び光線反射特性を有する複合材料用布の構造に関するものである。
【背景技術】
【０００２】
目下、一般の複合材料の主な用途は、製品の表面を被覆し又は製品の構造を強化して、製品の強度を向上し、ひいては付加価値を向上することにある。例えば、スポーツ用品のラケットやゴルフ・クラブや自転車部品や靴部材などには、複合材料用布が既に使用されてあり、製品の付加価値も向上される。
【０００３】
図３に示すのは、従来の複合材料用布であり、主に若干の緯方向糸３０と、若干の経方向糸４０とを交錯に織って構成されたものであり、一般には、各緯方向糸３０と経方向糸４０とは交錯に上がったり下がったりする形態であり、隣接する緯方向糸３０の交錯位置がちょうど逆であり、一本の緯方向糸３０が経方向糸４０の下を通過すれば、他本の緯方向糸３０が経方向糸４０の上を通過する。
【考案の開示】
【考案が解決しようとする課題】
【０００４】
しかしながら、複合材料用布全体の顔色は単一であり、布に織られても顔色が単一である。その色彩の変化を増加しようとする場合には、一般に印刷やペンキ塗りなどの方式を採用するが、作業時間が長くなる他、人件費および材料費用も増加し、さらに印刷やペンキ塗りなどの方式を実施された複合材料用布は、無理に摩擦され、ペンキが脱落して本来の色彩が落とされる。また、芳香族ポリアミド繊維とガラス繊維とから織って構成された布においても上記のような欠点がある。
【０００５】
本考案の主な目的は、構造が強化され、綺麗な色彩及び光線反射特性を有する複合材料用布の構造を提供する。
【０００６】
本考案の次な目的は、製造作業が簡単で、大量生産に好適な複合材料用布の構造を提供する。
【課題を解決するための手段】
【０００７】
上記目的を達成するためになされた本願の考案は、経方向糸組織と、緯方向糸組織とを交錯に織って構成され、前記経方向糸組織は芳香族ポリアミド繊維またはガラス繊維であり、前記緯方向糸組織は芳香族ポリアミド繊維またはガラス繊維であり、前記経方向糸組織と緯方向糸組織には若干の金色繊維が含まれていることを特徴とする複合材料用布の構造であることを要旨としている。
【０００８】
本願の考案では、前記経方向糸組織内または前記緯方向糸組織内に炭素繊維が織り込まれたことを特徴とする請求項１に記載の複合材料用布の構造であることを要旨としている。
【０００９】
本願の考案では、前記経方向糸組織が芳香族ポリアミド繊維またはガラス繊維であることに代えて、芳香族ポリアミド繊維または炭素繊維であり、前記前記緯方向糸組織が芳香族ポリアミド繊維またはガラス繊維であることに代えて、芳香族ポリアミド繊維または炭素繊維であることを特徴とする請求項１に記載の複合材料用布の構造であることを要旨としている。
【００１０】
本願の考案では、前記経方向糸組織が芳香族ポリアミド繊維またはガラス繊維であることに代えて、ガラス繊維または炭素繊維であり、前記前記緯方向糸組織が芳香族ポリアミド繊維またはガラス繊維であることに代えて、ガラス繊維または炭素繊維であることを特徴とする請求項１に記載の複合材料用布の構造であることを要旨としている。
【００１１】
本願の考案では、前記経方向糸組織または前記緯方向糸組織は、ガラス繊維であることを特徴とする請求項１に記載の複合材料用布の構造であることを要旨としている。
【００１２】
本願の考案では、前記経方向糸組織または緯方向糸組織は、芳香族ポリアミド繊維であることを特徴とする請求項１に記載の複合材料用布の構造であることを要旨としている。
【００１３】
本願の考案では、前記経方向糸組織または緯方向糸組織内には、若干の色付けられた樹脂糸又は光線反射特性を有し色付けられた糸を織り込んだことを特徴とする請求項１に記載の複合材料用布の構造であることを要旨としている。
【考案の効果】
【００１４】
本考案に係る複合材料用布の構造によれば、次のような効果がある。
（イ）構造が強化され、綺麗な色彩及び光線反射特性を有する。
【００１５】
（ロ）製造作業が簡単で、大量生産に好適である。
【考案を実施するための最良の形態】
【００１６】
以下、添付図面を参照して本考案の好適な実施の形態を詳細に説明する。
【００１７】
まず、図１と図２を参照する。本考案に係る複合材料用布の構造は、若干の経方向糸組織２０と、若干の緯方向糸組織１０とを交錯に織って構成され、前記経方向糸組織２０と緯方向糸組織１０は、それぞれ芳香族ポリアミド繊維（Para-Aramid）またはガラス繊維（Glass）であり、且つ前記経方向糸組織２０と緯方向糸組織１０との内部には若干の金色繊維Ａが織り込まれている。なお、金繊維Ａに代えて色付けられた樹脂糸、又は光線反射特性を有し色付けられた糸を織り込んでもいい。そうすると、図２に示すように、織って構成された布は、綺麗な色彩及び光線反射特性を有する。
【００１８】
また、図１と図２を参照する。本考案に係る経方向糸組織２０と緯方向糸組織１０とを交錯に織るときに、経方向糸組織２０または緯方向糸組織１０内に色彩効果を持つ金色糸Ａを織り込んでもよく、これにより、複合材料構造の本来の基本機能を保つことができると共に、構造を強化する効果も有し、そして金色糸Ａの設置により、複合材料用布が更に自然で活発な模様を多種類に設計することができ、図２に示すように、織って構成された布は綺麗な色彩及び光線反射特性を有する。
【００１９】
もちろん、本考案は上記の実施例の他に、また、各種類の緯方向糸組織１０と経方向糸組織２０との材質の変化により、多種の可能性がある。
【００２０】
本考案に係る実施例２は、芳香族ポリアミド繊維またはガラス繊維で作製された、経方向糸組織または緯方向糸組織内に炭素繊維が織り込まれたものである。
【００２１】
本考案に係る実施例３は、前記経方向糸組織と緯方向糸組織は、それぞれ芳香族ポリアミド繊維または炭素繊維である。
【００２２】
本考案に係る実施例４は、前記経方向糸組織と緯方向糸組織は、それぞれガラス繊維または炭素繊維である。
本考案に係る実施例５は、前記経方向糸組織または緯方向糸組織は、それぞれガラス繊維である。
【００２３】
本考案に係る実施例６は、前記経方向糸組織または緯方向糸組織は、それぞれ芳香族ポリアミド繊維である。
【図面の簡単な説明】
【００２４】
【図１】本考案の組織を示す概略図である。
【図２】図１の一部の拡大図である。
【図３】従来の炭素繊維布の組織を示す概略図である。
【符号の説明】
【００２５】
３０      緯方向糸              ４０      経方向糸
１０      緯方向糸組織          ２０      経方向糸組織
Ａ        金色糸
【図１】
0003109635.tif 000003
【図２】
0003109635.tif 000004
【図３】
0003109635.tif 000005